(57)【要約】【課題】一般フラッシュ撮影モードかバウンスフラッシュモードかはユーザの選択に任されており、当該モードでの発光が適切な露光量とならないことがある。【解決手段】複数の発光部２４０、２６０のうち少なくとも１つを上方に向けた状態において、上方に向けた発光部２６０を予備発光する駆動信号を出力する発光駆動部２１４と、予備発光に基づいて、複数の発光部２４０、２６０の少なくともいずれかのバウンス発光によって予め定められた露光量が得られるか否かを判断するバウンス可否判断部２１６とを備える発光制御装置２００が提供される。【選択図】図４
2013007867.tif 000002
【特許請求の範囲】
【請求項１】
複数の発光部のうち少なくとも１つを上方に向けた状態において、上方に向けた発光部を予備発光する駆動信号を出力する発光駆動部と、
前記予備発光に基づいて、前記複数の発光部の少なくともいずれかのバウンス発光によって予め定められた露光量が得られるか否かを判断するバウンス可否判断部と
を備える発光制御装置。
【請求項２】
前記発光駆動部は、前記バウンス可否判断部によりバウンス発光が可能と判断された場合に、前記複数の発光部のうちのいずれかを上方に向けて発光する駆動信号を出力する請求項１に記載の発光制御装置。
【請求項３】
前記予備発光において前記複数の発光部のうち少なくとも１つは水平を向いた状態であって、
前記発光駆動部は、前記バウンス可否判断部によりバウンス発光が不可と判断された場合に、前記複数の発光部のうち、水平に向けた発光部を発光する駆動信号を出力する請求項２に記載の発光制御装置。
【請求項４】
前記複数の発光部は、主発光部、および、前記主発光部よりも発光量の上限が小さい副発光部を含み、
前記発光駆動部は、前記予備発光において前記副発光部を発光する駆動信号を出力するとともに、前記バウンス発光において前記主発光部を発光する駆動信号を出力する請求項２または３に記載の発光制御装置。
【請求項５】
前記主発光部を回動する駆動信号を出力する回動駆動部をさらに備え、
前記回動駆動部は、前記予備発光において前記主発光部を水平に回動する駆動信号を出力し、
前記回動駆動部は、前記バウンス可否判断部によりバウンス発光が可能と判断された場合に前記主発光部を上方に回動する駆動信号を出力し、前記バウンス可否判断部によりバウンス発光が不可と判断された場合に前記主発光部を上方に回動する駆動信号を出力しない請求項４に記載の発光制御装置。
【請求項６】
前記バウンス可否判断部によりバウンス発光が可能と判断された場合に、前記回動駆動部は前記副発光部を水平に回動する駆動信号をさらに出力するとともに、前記発光駆動部は前記副発光部を発光する駆動信号を出力する請求項５に記載の発光制御装置。
【請求項７】
請求項１から６のいずれか１項に記載の発光制御装置と、
前記複数の発光部と、
を備える発光装置。
【請求項８】
前記複数の発光部のそれぞれに対応する複数の蓄電部をさらに備える請求項７に記載の発光装置。
【請求項９】
前記複数の発光部が互いに連動して回動する請求項７または８に記載の発光装置。
【請求項１０】
請求項７から９のいずれか１項に記載の発光装置と、
像光を撮像する撮像部と
を備える撮像装置。
【請求項１１】
請求項１から６のいずれか１項に記載の発光制御装置と、
像光を撮像する撮像部と
を備える撮像装置。
【発明の詳細な説明】
【技術分野】
【０００１】
本発明は、発光制御装置、発光装置および撮像装置に関する。
【背景技術】
【０００２】
一般フラッシュ撮影モード用の発光部と、バウンスフラッシュモード用の発光部とを別個に設ける撮像装置がある（例えば、特許文献１参照）。
特許文献１  特開２０１０−２６６６０４号公報
【発明の概要】
【発明が解決しようとする課題】
【０００３】
しかしながら、一般フラッシュ撮影モードかバウンスフラッシュモードかはユーザの選択に任されており、当該モードでの発光が適切な露光量とならないことがある。
【課題を解決するための手段】
【０００４】
本発明の第１の態様においては、複数の発光部のうち少なくとも１つを上方に向けた状態において、上方に向けた発光部を予備発光する駆動信号を出力する発光駆動部と、前記予備発光に基づいて、前記複数の発光部の少なくともいずれかのバウンス発光によって予め定められた露光量が得られるか否かを判断するバウンス可否判断部とを備える発光制御装置が提供される。
【０００５】
本発明の第２の態様においては、上記発光制御装置と、前記複数の発光部とを備える発光装置が提供される。
【０００６】
本発明の第３の態様においては、上記発光装置と、像光を撮像する撮像部とを備える撮像装置が提供される。
【０００７】
本発明の第４の態様においては、上記発光制御装置と、像光を撮像する撮像部とを備える撮像装置が提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態にかかるカメラシステム１０の概略斜視図である。
【図２】カメラ本体１００の構成を示すブロック図である。
【図３】発光装置２００の外観を示す斜視図である。
【図４】発光装置２００の構成を示すブロック図である。
【図５】発光装置２００の姿勢を示す側面図である。
【図６】発光装置２００の他の姿勢を示す側面図である。
【図７】カメラシステム１０の動作を示すフローチャートである。
【図８】他の実施形態にかかるカメラシステム１２の概略を示す斜視図である。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態にかかるカメラシステム１０の概略斜視図である。カメラシステム１０は、被写界像を撮像するカメラ本体１００と、当該カメラ本体１００に着脱可能に取り付けられ、被写界に閃光を発光する発光装置２００とを備える。カメラ本体１００の一例は、被写界像から電気的な画像データを生成するデジタルカメラである。また、発光装置２００の一例は、カメラ本体１００の撮像のタイミングにあわせてキセノン管から閃光を発光するフラッシュである。
【００１２】
図２は、カメラ本体１００の構成を示すブロック図である。カメラ本体１００は、メインＣＰＵ１１０、操作部１１４、電源１２０、表示部１３０、撮像部１４０、内蔵フラッシュ回路１６０およびモータ駆動部１８０、測光部２９６、ＡＦセンサ２９８を備える。また、プログラムメモリ１７２、主記憶装置１７４および二次記憶媒体１７６も備える。
【００１３】
メインＣＰＵ１１０は、プログラムメモリ１７２に格納されたファームウエアに従って、カメラ本体１００の動作を制御すると共に、カメラ本体１００に発光装置２００およびレンズユニット２９２を加えたカメラシステム１０全体を包括的に制御する。
【００１４】
電源１２０は、リチウムイオン電池、ニッケル水素電池等の二次電池を含み、カメラ本体１００およびレンズユニット２９２で消費される電力を一括して供給する。このため、レンズユニット２９２を接続するレンズＩ／Ｆ１５２には、電源１２０とレンズユニット２９２を接続する電力供給端子が設けられる。
【００１５】
表示部１３０は、カメラ本体１００の背面に配された液晶表示パネルを含み、カメラシステム１０に対する設定値、撮像した画像等を外部に向かって表示する。また、表示部１３０には、カメラ本体１００に、各種の設定値を入力する場合のメニューが表示される場合もある。
【００１６】
撮像部１４０は、レンズユニット２９２が形成した被写体像を電気信号に変換する光電変換素子１４２を含む。光電変換素子としては、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。
【００１７】
撮像部１４０において電気信号に変換された被写体像は、更にデジタル変換される。デジタル信号にされた画像情報は、主記憶装置１７４上の作業領域で画像処理を受け、求めに応じて圧縮された上で、二次記憶媒体１７６に格納される。二次記憶媒体１７６の少なくとも一部は、カメラ本体１００に対して着脱して交換できる。
【００１８】
内蔵フラッシュ回路１６０は、撮像する場合に被写体を照明する閃光発生部を含む。ただし、カメラシステム１０には、発光装置２００が装着されているのでそちらが用いられる。
【００１９】
モータ駆動部１８０は、メインＣＰＵ１１０の指示に従って、シャッタをチャージするモータを駆動する。また、レンズユニット２９２におけるフォーカシングレンズを移動させるモータを駆動する。このモータは、レンズユニット２９２に設けられる場合も、カメラ本体１００に設けられる場合もある。
【００２０】
レンズユニット２９２は、撮像部１４０の光電変換素子１４２に被写体像を形成する光学系２９４を有する。レンズユニット２９２は、レンズマウントおよびボディマウントの機械的係合により、カメラ本体１００に対して固定される。また、レンズユニット２９２は、カメラ本体１００に設けられたレンズＩ／Ｆ１５２を介して、カメラ本体１００の内部と電気的にも結合される。
【００２１】
測光部２９６は、光学系２９４を通った被写体像の輝度を測定する。ＡＦセンサ２９８は、被写体空間に対して複数の測距点が設定された位相差センサであり、それぞれの測距点において被写体像のデフォーカス量を検出する。外部接続Ｉ／Ｆ１５４は、カメラ本体１００と発光装置２００との間の通信を仲介する。
【００２２】
上記のようなカメラシステム１０において、カメラ本体１００のレリーズスイッチが半押しされると、撮影準備が開始される。次いで、レリーズスイッチが全押しされると、被写体像が撮像部１４０により取り込まれる。
【００２３】
図３は、発光装置２００の外観を示す斜視図である。発光装置２００は、相互に連結された固定筐体３１０、主発光部２４０および副発光部２６０を備える。固定筐体３１０は、下端面に取り付け部３２０を、側面に電池を収容する電源部３１２、前面に補助光光源３１１およびリモート用レディライト３１３等を備える。
【００２４】
取り付け部３２０は、カメラ本体１００のホットシューに嵌合する取り付け脚３２２と、ホットシューにおいて信号を伝達する連動接点３２４とを有する。取り付け脚３２２をホットシューに嵌合させた場合、固定筐体３１０は、カメラボディに固定される。
【００２５】
電源部３１２は、発光装置２００を動作させる電力を供給する乾電池等を収容する。補助光光源３１１およびリモート用レディライト３１３は透明な共通カバー３１５に覆われて、動作モードに応じて発光する。即ち、補助光光源３１１は、暗い撮影環境においてオートフォーカスを動作させる場合に被写体を照明する。また、リモート用レディライト３１３は、発光装置２００をカメラ本体１００から離して動作させる場合に、充電完了をユーザに通知する。
【００２６】
主発光部２４０は、前面に発光面２４２を有する。主発光部２４０は、その後端近傍において、水平回動部３３２および垂直回動部３３４を介して固定筐体３１０に結合される。即ち、水平回動部３３２の下端は、固定筐体３１０の上端面に結合される。また、水平回動部３３２の上端は、垂直回動部３３４を介して主発光部２４０に結合される。
【００２７】
主発光部２４０は、後端が前面よりも幅の狭い、略Ｌ字の外形を有する。主発光部２４０の略Ｌ字の後端側の空間に、副発光部２６０が配される。
【００２８】
副発光部２６０も、主発光部２４０と同様に、前面に発光面２４２を有する。また、副発光部２６０も、その後端近傍において、水平回動部３３２および垂直回動部３３４を介して固定筐体３１０に結合される。
【００２９】
図４は、発光装置２００の構成を示すブロック図である。発光装置２００は、カメラ本体１００に設けられた外部接続Ｉ／Ｆ１５４を介して、カメラ本体の内部回路に電気的に結合される。発光装置２００は、ＭＰＵ（Ｍｉｃｒｏ  Ｐｒｏｃｅｓｓｉｎｇ  Ｕｎｉｔ）２１０、記録部２９０、充電回路２２０、主発光部２４０、副発光部２６０、モータ２５０、２８０、メインコンデンサ２３０、２７０、受光部２８２および電源部３１２を備える。
【００３０】
ＭＰＵ２１０は、発光装置２００内部の制御を担うと共に、外部接続Ｉ／Ｆ１５４を通じてカメラ本体１００のメインＣＰＵ１１０と通信する。ＭＰＵ２１０は、モータ２５０、２８０に駆動信号を出力する回動駆動部２１２と、主発光部２４０および副発光部２６０に発光の駆動信号を出力する発光駆動部２１４と、バウンス発光の可否を判断するバウンス可否判断部２１６とを有する。
【００３１】
充電回路２２０は、ＭＰＵ２１０からの指示に基づいて、電源部３１２の電力でメインコンデンサ２３０、２７０を充電する。メインコンデンサ２３０とメインコンデンサ２７０とで別個の充電回路を有してもよい。
【００３２】
メインコンデンサ２３０は容量の大きな蓄電素子であり、充電回路２２０により蓄積された電荷を短時間で放電して、大きな放電電流を主発光部２４０に供給する。例えば主発光部２４０の最大光量がガイドナンバー４０であって、メインコンデンサ２３０は当該ガイドナンバーで発光するに足る容量を有する。
【００３３】
メインコンデンサ２７０は、メインコンデンサ２３０より容量が小さな蓄電素子であり、充電回路２２０により蓄積された電荷を短時間で放電して、大きな放電電流を副発光部２６０に供給する。例えば副発光部２６０の最大光量がガイドナンバー１０であって、メインコンデンサ２７０は当該ガイドナンバーで発光するに足る容量を有する。
【００３４】
メインコンデンサ２３０、２７０としては、電解コンデンサの他、電気二重層コンデンサ、スーパキャパシタ等が用いられてもよい。なおメインコンデンサ２７０の容量をメインコンデンサ２３０の容量よりも小さくすることに変えて、容量を等しくまたはメインコンデンサ２７０の容量の方を多くして、充電回路２２０にてメインコンデンサ２３０に蓄積する電荷量をメインコンデンサ２７０に蓄積する電荷量よりも大きくしてもよい。
【００３５】
主発光部２４０は、放電管、ＬＥＤ等により形成される。主発光部２４０は、発光駆動部２１４の駆動信号に基づいて、メインコンデンサ２３０から上記大電流の供給を受けて閃光を発生する。同様に、副発光部２６０は、放電管、ＬＥＤ等により形成され、発光駆動部２１４の駆動信号に基づいてメインコンデンサ２７０から供給された大電流により閃光を発生する。
【００３６】
モータ２５０は、回動駆動部２１２からの駆動信号に基づいて、主発光部２４０を垂直回動部３３４の回動方向に回動駆動する。カメラシステム１０の通常の使用状態、すなわち、カメラ本体１００よりも発光装置２００が鉛直上方に位置する姿勢において、モータ２５０は主発光部２４０の発光方向の仰角を変化させる。同様にモータ２８０は、回動駆動部２１２からの駆動信号に基づいて、副発光部２６０を垂直回動部３３４の回動方向に回動駆動する。なお、水平回動部３３２の回動方向について、主発光部２４０と副発光部２６０とは、ユーザの手動により一体的に回動される。
【００３７】
受光部２８２は、外光の明るさを検出してＭＰＵ２１０に出力する。ＭＰＵ２１０は、例えば主発光部２４０および副発光部２６０のいずれも発光してない状態で受光部２８２により検出される明るさと、副発光部２６０を予備発光させた状態で受光部２８２により検出される明るさとを比較して、カメラ本体１００により本撮影されるときに十分な露出量となる光量を算出する。
【００３８】
記録部２９０は、不揮発性記憶媒体または読出専用記憶媒体を含み、発光装置２００のファームウエア、データ等を格納する。記録部２９０に格納されたデータは、ＭＰＵ２１０により読み出され、カメラ本体のメインＣＰＵ１１０に転送できる。
【００３９】
図５は、発光装置２００の姿勢を示す側面図である。図５において、主発光部２４０は水平に向いており、副発光部２６０は垂直に向いている。よって、主発光部２４０の発光面２４２は前方を向いており、副発光部２６０の発光面２６２は上方を向いている。
【００４０】
図６は、発光装置２００の他の姿勢を示す側面図である。図６において、主発光部２４０は垂直に向いており、副発光部２６０は水平に向いている。よって、主発光部２４０の発光面２４２は上方を向いており、副発光部２６０の発光面２６２は前方を向いている。
【００４１】
図５および図６に示すように、回動駆動部２１２は、主発光部２４０が水平を向いているときに副発光部２６０が垂直を向くようにモータ２５０、２８０に駆動信号を出力し、主発光部２４０が垂直を向いているときに副発光部２６０が水平を向くようにモータ２５０、２８０に駆動信号を出力する。なお、回動駆動部２１２は、主発光部２４０および副発光部２６０の向きをモータ２５０、２８０のエンコーダ等の出力により認識する。
【００４２】
図７は、カメラシステム１０の動作を示すフローチャートである。図７のフローチャートは、オートバウンスモードが設定されている場合であって、カメラ本体１００のレリーズボタンが全押しされたときに開始する。オートバウンスモードはカメラ本体１００または発光装置２００へのユーザの入力により予め設定される。なお、オートバウンスモードに設定されていない場合には、通常の撮影動作を行う。
【００４３】
まず、回動駆動部２１２は、主発光部２４０および副発光部２６０がオートバウンス位置にあるか否かを判断する（Ｓ１１２）。ここでオートバウンス位置は、図５に示すように、主発光部２４０が水平であってかつ副発光部２６０が垂直を向いている位置である。主発光部２４０および副発光部２６０の少なくともいずれかがオートバウンス位置にない場合に（Ｓ１１２：Ｎｏ）、回動駆動部２１２は対応するモータ２５０、２８０に駆動信号を出力し、モータ２５０、２８０が主発光部２４０および副発光部２６０をオートバウンス位置に復帰する（Ｓ１１４）。なお連写の場合など、既にバウンス発光が可能かどうかの判定がされている場合、発光量をロックする機能で発光ロック場合等には復帰動作を行わず、バウンス可能の情報、既に決定している発光量等の情報を用いて発光動作を行ってもよい。
【００４４】
ステップＳ１１２の判断がＹｅｓまたはステップＳ１１４の後に、発光駆動部２１４は、垂直を向いた状態の副発光部２６０を予備発光する駆動信号を出力する（Ｓ１１６）。これにより、副発光部２６０が上方へ向けて予備発光する（同ステップ）。この場合に副発光部２６０は、最大発光量よりも小さい発光量、例えばガイドナンバー２で発光する。
【００４５】
バウンス可否判断部２１６はステップＳ１１６での予備発光に基づいて、主発光部２４０のバウンス発光によって予め定められた露光量が得られるか否かを判断する（Ｓ１１８）。この場合に、予備発光中にカメラ本体１００の光学系２９４を通った像光に基づいて判断するＴＴＬ（Ｔｈｒｏｕｇｈ  Ｔｈｅ  Ｌｅｎｓ）判断と、カメラ本体１００の光学系２９４を通さずに発光装置２００の側の受光部２８２の受光量から判断する外部受光判断とのいずれを用いてもよい。いずれの判断を用いるかは、ユーザの発光装置２００に対する操作によって予め設定されてもよいし、発光装置２００とカメラ本体１００との相互通信によってＴＴＬ判断が可能である場合にはＴＴＬ判断を用い、それ以外の場合に外部受光判断を用いてもよい。
【００４６】
ＴＴＬ判断の場合に、バウンス可否判断部２１６は、予備発光中におけるカメラ本体１００の測光部２９６からの出力を取得する。バウンス可否判断部２１６は、測光部２９６からの出力と、副発光部２６０の予備発光の光量と主発光部２４０の最大光量との比から、主発光部２４０が最大光量までの範囲内でカメラ本体１００の設定により決まる露光量を提供できるか否かを判断する。
【００４７】
外部受光判断の場合に、バウンス可否判断部２１６は、予備発光中における受光部２８２からの出力を取得する。バウンス可否判断部２１６は、受光部２８２からの出力と、副発光部２６０の予備発光の光量と主発光部２４０の最大光量との比から、主発光部２４０が最大光量までの範囲内で予め定められた露光量を提供できるか否かを判断する。
【００４８】
ステップＳ１１６においてバウンス発光が可能と判断された場合に、バウンス可否判断部２１６は、副発光部２６０の発光が設定されているか否かを判断する（Ｓ１２０）。副発光部２６０の発光は、例えば、主発光部２４０のバウンス発光において被写体の目に光を映り込ませるキャッチライト、または、主発光部２４０の発光量を補う補助光等に用いられる。副発光部２６０を用いるか否かは、ユーザの発光装置２００に対する操作によって予め設定される。
【００４９】
副発光部２６０の発光が設定されている場合に（Ｓ１２０：Ｙｅｓ）、発光駆動部２１４は、水平を向いている主発光部２４０を予備発光する駆動信号を出力する（Ｓ１２２）。これにより、主発光部２４０は前方へ向けて予備発光する（同ステップ）。この場合に主発光部２４０は、最大発光量よりも小さい発光量、例えばガイドナンバー２で発光する。
【００５０】
バウンス可否判断部２１６は、主発光部２４０の予備発光中における受光部２８２または測光部２９６からの出力、および、上記ステップＳ１１８で得た受光部２８２または測光部２９６からの出力に基づいて、主発光部２４０および副発光部２６０のそれぞれの本発光時の光量を演算する（Ｓ１２４）。ＴＴＬ判断を用いている場合には、バウンス可否判断部２１６は、被写界を複数の領域に分割し、領域ごとの反射光の強さ、オートフォーカスのポイント位置、被写体までの距離等から主要被写体の領域を推定し、その領域に対してＩＳＯ、絞り値等を考慮して適切な光量を算出する。また、バウンス可否判断部２１６は、主発光部２４０が単独で上方に発光したと仮定したときの適切な光量、および、副発光部２６０が単独で前方に発光したと仮定したときの適切な光量をそれぞれ算出し、さらに主発光部２４０と副発光部２６０との発光比率を考慮してお互いの発光の影響を考慮した発光量の補正を行う。
【００５１】
ステップＳ１２０において、副発光部２６０の発光が設定されていない場合に（Ｓ１２０：Ｎｏ）、バウンス可否判断部２１６は、副発光部２６０の予備発光中における受光部２８２または測光部２９６からの出力に基づいて、主発光部２４０の本発光時の光量を演算する（Ｓ１２４）。
【００５２】
さらに、回動駆動部２１２は、主発光部２４０を水平方向から垂直方向に回動する駆動信号をモータ２５０に出力する（Ｓ１２８）。これによりモータ２５０は主発光部２４０を垂直に向ける（同ステップ）。さらに回動駆動部２１２は、副発光部２６０を垂直方向から水平方向に回動する駆動信号をモータ２８０に出力する。これによりモータ２８０は副発光部２６０を水平に向ける。この場合に図６に示す姿勢となる。なお、副発光部２６０を発光させない場合には、回動駆動部２１２は、副発光部２６０を垂直方向から水平方向に回動する駆動信号をモータ２８０に出力しなくてもよい。
【００５３】
発光駆動部２１４は、ステップＳ１２４で算出された光量で本発光させる駆動信号を主発光部２４０に出力する（Ｓ１３０）。これにより主発光部２４０は、上記光量で上方に本発光する（同ステップ）。副発光部２６０の発光が設定されている場合には、発光駆動部２１４は、ステップＳ１２４で算出された光量で本発光させる駆動信号を副発光部２６０に出力し、副発光部２６０は上記光量で前方へ本発光する。
【００５４】
一方、ステップＳ１１８においてバウンス発光が不可と判断された場合に（Ｓ１１８：Ｎｏ）、発光駆動部２１４は、水平を向いた状態の主発光部２４０を予備発光する駆動信号を出力する（Ｓ１３４）。これにより、主発光部２４０が前方へ向けて予備発光する（同ステップ）。
【００５５】
バウンス可否判断部２１６は、主発光部２４０の予備発光中における受光部２８２または測光部２９６からの出力に基づいて、当該主発光部２４０の本発光時の光量を算出し（Ｓ１３２）、上記ステップＳ１３０に進む。これにより、主発光部２４０が前方へ向けて本発光する。以上により本フローチャートが終了する。
【００５６】
以上、本実施形態によれば、副発光部２６０を垂直に向けた状態において予備発光し、当該予備発光に基づいて、主発光部２４０のバウンス発光によって予め定められた露光量が得られるか否かを判断するので、適切な発光条件で本発光をすることができる。特に、バウンス発光が可能と判断された場合に主発光部２４０が自動で垂直を向くので、シャッタチャンスを逃すことなくかつ主発光部２４０を回動し忘れることなく、バウンス発光をすることができる。また、バウンス発光が不可と判断された場合に主発光部２４０が水平を向いているので、シャッタチャンスを逃すことなくかつ主発光部２４０を回動し忘れることなく、通常の発光をすることができる。また、上記ステップＳ１１６においてバウンス発光の予備発光に副発光部２６０を用いるので、すなわちメインコンデンサ２７０の電荷を用いるので、当該予備発光で主発光部２４０のメインコンデンサ２３０を用いなくてよい。
【００５７】
上記実施形態において、二つのモータ２５０、２８０を用いて主発光部２４０および副発光部２６０を回動しているが、回動方法はこれに限られない。他の例として、主発光部２４０と副発光部２６０とを機械的に連動させてもよい。この場合に、一つのモータおよび当該モータの回転方向を逆転するギアを用いて、モータの回転駆動力を正転のままで主発光部２４０および副発光部２６０の一方を回動し、モータの回転駆動力をギアによって逆転させて主発光部２４０および副発光部２６０の他方を回動してもよい。さらに他の例として、バネによるテンションを利用し、ソレノイドへの通電等でロックをはずすことにより、主発光部２４０を水平から垂直へ跳ね上げてもよい。
【００５８】
また、上記実施形態において、回動駆動部２１２、発光駆動部２１４およびバウンス可否判断部２１６は発光装置２００に設けられている。他の例として、回動駆動部２１２、発光駆動部２１４およびバウンス可否判断部２１６のいずれかまたは全部がカメラ本体１００の側に設けられていてもよい。
【００５９】
また、図７のステップＳ１１２およびＳ１１４において主発光部２４０を水平かつ副発光部２６０を垂直にしている。他の例として、ステップＳ１１２およびＳ１１４で主発光部２４０を垂直かつ副発光部２６０を水平の状態にして、ステップＳ１１６で主発光部２４０を用いて予備発光してもよい。この場合にはバウンス可否判断部２１６によりバウンス発光が可能とされた場合には主発光部２４０および副発光部２６０はそのまま回動せずに発光させる。一方、バウンス可否判断部２１６によりバウンス発光が不可とされた場合には主発光部２４０を水平にかつ副発光部２６０を垂直に回動させて発光させる。
【００６０】
上記実施形態において、予備発光時に副発光部２６０が垂直を向いており、バウンス発光可能な場合に主発光部２４０が垂直を向いている。これに代えて、予備発光時に副発光部２６０が斜め上方を向いており、バウンス発光可能な場合に主発光部２４０が斜め上方を向いていてもよい。この場合に、ユーザは発光装置２００へのボタン操作等により、バウンス発光したいと考える角度に副発光部２６０を回動する。回動駆動部２１２は、当該角度を記憶しておき、バウンス可否判断部２１６によりバウンス発光が可能と判断された場合に、主発光部２４０を当該角度まで回動する駆動信号をモータ２５０に出力する。これにより、主発光部２４０は、予備発光時の副発光部２６０の角度と同一の角度まで会同してバウンス発光する。この場合に、副発光部２６０は上記実施形態と同様に水平まで回動していてもよい。
【００６１】
図８は、他の実施形態にかかるカメラシステム１２の概略を示す斜視図である。カメラシステム１２は、カメラ本体１００および当該カメラ本体１００に取り付けられた発光装置２０２に加え、他の発光装置２０４、２０６をさらに有する。発光装置２０２、２０４、２０６は互いに無線または有線で通信する。
【００６２】
発光装置２０２、２０４、２０６は、図１から図７に示す発光装置２００と同一の構成を有していてもよいし、当該発光装置２００における副発光部２６０、メインコンデンサ２７０およびモータ２８０を除いた構成であってもよい。以下、発光装置２０２、２０４、２０６は、当該発光装置２００から副発光部２６０、メインコンデンサ２７０およびモータ２８０を除いた構成を有するものとし、主発光部２４０に対応する発光部３５０を有するものとして説明する。
【００６３】
カメラ本体１００のレリーズボタンが全押しされると、発光装置２０２が発光装置２０４、２０６と通信し、カメラシステム１２に含まれる発光装置２０２、２０４、２０６の各発光部のうちのいずれかが水平に回動され、他のいずれかが垂直に回動される。図８の例において、カメラ本体１００に装着された発光装置２０２の発光部３５０が水平に回動され、他の発光装置２０４、２０６の発光部が垂直に回動される。
【００６４】
次に、垂直を向いている発光装置２０４、２０６の発光部により予備発光がされ、例えば発光装置２０２のバウンス可否判断部２１６がバウンス発光の可否を判断する。この場合に、バウンス可否判断部２１６は、水平を向いている発光装置２０２の発光部３５０もバウンス発光するとしたときの最大光量に基づいてバウンス発光の可否を判断する。
【００６５】
バウンス発光が可能と判断された場合に、発光装置２０２の回動駆動部２１２が発光部３５０を垂直に回動する駆動信号を出力し、発光駆動部２１４が発光装置２０２の発光部３５０および他の発光装置２０４、２０６を本発光する駆動信号を出力する。これにより、発光装置２０２、２０４、２０６がバウンス発光する。
【００６６】
一方、バウンス発光が可能と判断された場合に、発光装置２０２の発光駆動部２１４が発光装置２０２の発光部３５０を本発光する駆動信号を出力する。これにより、発光装置２０２が前方へ発光する。この場合に他の発光装置２０４、２０６は発光を控えてもよいし、補助光として上方へバウンス発光してもよいし、発光部を水平に回動して前方へ発光してもよい。これらのいずれを選択するかがカメラ本体１００へのユーザの操作により予め設定されていてもよい。
【００６７】
以上、本実施形態によれば、一の発光装置の発光部を垂直に向けた状態において予備発光し、当該予備発光に基づいて、複数の発光装置のバウンス発光によって予め定められた露光量が得られるか否かを判断するので、適切な発光条件で本発光をすることができる。特に、バウンス発光が可能と判断された場合に当該一の発光装置の発光部が自動で垂直を向くので、シャッタチャンスを逃すことなくかつ発光部を回動し忘れることなく、バウンス発光をすることができる。また、バウンス発光が不可と判断された場合に少なくとも当該一の発光装置の発光部は水平を向いているので、シャッタチャンスを逃すことなくかつ発光部を回動し忘れることなく、通常の発光をすることができる。
【００６８】
上記実施形態はいずれもレリーズボタンが全押しされたことにより予備発光およびそれに続いた本発光が行われる。これに代えてまたはこれに加えて、カメラ本体１００および発光装置２００の少なくとも一方に、バウンス確認ボタンを設けて、当該バウンス確認ボタンが押された場合に、予備発光してバウンス発光の可否を判断してもよい。
【００６９】
上記実施形態はいずれもカメラ本体１００としてレンズユニット２９２が着脱できる一眼デジタルカメラを例にとって説明したが、カメラ本体１００としてレンズが一体型のコンパクトデジタルカメラであってもよい。また、上記実施形態はいずれも発光装置２００、２０２、２０４、２０６がカメラ本体１００に対して着脱可能である例を用いて説明したが、発光装置２００、２０２、２０４、２０６がカメラ本体１００に一体的に取り付けられていてもよい。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７２】
１０、１２  カメラシステム、１００  カメラ本体、１１０  メインＣＰＵ、２９０  記録部、１１４  操作部、１２０  電源、１３０  表示部、１４０  撮像部、１４２  光電変換素子、１５２  レンズＩ／Ｆ、１５４  外部接続Ｉ／Ｆ、１６０  内蔵フラッシュ回路、１７２  プログラムメモリ、１７４  主記憶装置、１７６  二次記憶媒体、１８０  モータ駆動部、２００、２０２、２０４  発光装置、２１０  ＭＰＵ、２２０  充電回路、２３０、２７０  メインコンデンサ、２４０  主発光部、２４２  発光面、２５０、２８０  モータ、２６０  副発光部、２６２  発光面、２９２  レンズユニット、２９４  光学系、２９６  測光部、２９８  ＡＦセンサ、２１２  回動駆動部、２１４  発光駆動部、２１６  バウンス可否判断部、３１０  固定筐体、３１１  補助光光源、３１２  電源部、３１３  リモート用レディライト、３１５  共通カバー、３２０  取り付け部、３２２  取り付け脚、３２４  連動接点、３５０  発光部、３３２  水平回動部、３３４  垂直回動部
【図１】
2013007867.tif 000003
【図２】
2013007867.tif 000004
【図３】
2013007867.tif 000005
【図４】
2013007867.tif 000006
【図５】
2013007867.tif 000007
【図６】
2013007867.tif 000008
【図７】
2013007867.tif 000009
【図８】
2013007867.tif 000010